(57)【特許請求の範囲】
【請求項１】
感光体等を内蔵するとともに該感光体の軸線方向に沿って画像形成装置本体に対して脱着可能な感光体ユニット内で発生したオゾンを機外へ排出するためのダクトを、上記感光体の軸線方向に沿わせて設けてなる画像形成装置の通風装置であって、上記ダクトの上記感光体ユニットに接触させる面にスポンジを貼付し、該スポンジの表面に、上記スポンジが引きちぎられることをなくすための別部材の膜体を設けてなることを特徴とする画像形成装置の通風装置。
【請求項２】
上記膜体に加えて、上記感光体ユニットを上記画像形成装置本体へ装着する際に突入側となる画像形成装置の前側端縁となる部位に、上記膜体ごと上記スポンジを覆う緩衝用の膜体を設けたことを特徴とする請求項１の画像形成装置の通風装置。
【請求項３】
請求項１または２の画像形成装置の通風装置を用いた画像形成装置。
【発明の詳細な説明】
【０００１】
【発明の属する技術分野】
本発明は、感光体等を内蔵した感光体ユニット内で発生したオゾンを画像形成装置本体の機外へ排出するための複写機、プリンタ、ファクシミリ等の画像形成装置の通風装置に関する。
【０００２】
【従来の技術及び発明が解決しようとする課題】
複写機等の画像形成装置では、画像形成時に発生するオゾンや発熱体が発する余剰な熱を確実に機外へ排出するため、及び機内に空気を吸引するために、通風装置を設けることが一般的になっている。
【０００３】
このような通風装置のうち、帯電チャージャを内蔵した感光体ユニットを脱着可能に備える画像形成装置で用いる装置にあっては、帯電チャージャで発生したオゾンを効率よく処理するために、発生部である感光体ユニット内から排気部までのダクト内に隙間がないように構成する必要がある。また一方、帯電チャージャを内蔵する感光体ユニットを画像形成装置本体に対して脱着可能とするため、ダクトと感光体ユニットのつなぎ目にはダクトの端面にスポンジを貼りつけて隙間を埋めるようにしている。
【０００４】
ところが感光体ユニットを内蔵する感光体ドラムの軸線方向に沿って脱着しなければならない構成である場合、感光体ユニットを画像形成装置本体内へセットする時に、感光体ユニットとダクトの端面同士がこすれ、これによってダクトの端面に貼付してあるスポンジがちぎれてしまい、感光体ユニットの下側に位置する転写ベルトの上に落下して、形成する画像に悪影響を与えてしまうことがあった。
【０００５】
【課題を解決するための手段】
本発明の画像形成装置の通風装置のうち請求項１に係るものは、感光体等を内蔵するとともに該感光体の軸線方向に沿って画像形成装置本体に対して脱着可能な感光体ユニット内で発生したオゾンを機外へ排出するためのダクトを、上記感光体の軸線方向に沿わせて設けてなる画像形成装置の通風装置であって、上記ダクトの上記感光体ユニットに接触させる面にスポンジを貼付し、該スポンジの表面に、上記スポンジが引きちぎられることをなくすための別部材の膜体を設けてなることを特徴とする。
【０００６】
また請求項２に係る画像形成装置の通風装置は、上記膜体に加えて、上記感光体ユニットを上記画像形成装置本体へ装着する際に突入側となる画像形成装置の前側端縁となる部位に、上記膜体ごと上記スポンジを覆う緩衝用の膜体を設けたことを特徴とする。
【０００７】
さらに請求項３に係る画像形成装置は、請求項１または２の画像形成装置の通風装置を用いたことを特徴とする。
【０００８】
【発明の実施の形態】
以下本発明の実施の形態を図面を参照して説明する。
図１は、本発明に係る画像形成装置の通風装置の一実施形態を示す斜視図である。図中１は感光体ユニット、１ａはドラム軸、２は帯電チャージャ、３はメインダクト、４ａは感光体ユニットとの隙間をふさぐスポンジ、４ｂはスポンジ４ａに貼りつけたマイラ、５はメインファン、６は排気ダクト、７は吸気ダクト、８は定着ユニット、９は転写ベルトである。
【０００９】
本実施形態装置では、帯電チャージャ２で発生したオゾンと定着ユニット８での熱を処理するために、吸気ダクト７から取り入れた空気を感光体ユニット１に通し、感光体ユニット１内で発生したオゾンと定着ユニット８の熱で暖められた機内の空気をメインダクト３で引いてメインファン５によって排気ダクト６から機外へ排出するようになっている。
【００１０】
スポンジ４ａは、メインダクト３の感光体ユニット１への取り付け端面に感光体ユニット１との隙間を埋めるために貼付してあり、その表面、すなわち感光体ユニット１側となる面には薄い膜体であるマイラ４ｂが貼付してある。
【００１１】
感光体ユニット１は交換のために図示せぬ画像形成装置本体の前側から脱着できるようになっており（図中矢印Ｘで脱着方向を示す）、機構上からドラム軸１ａに対して平行にセットしなければならない。このため、感光体ユニット１をセットするときには、メインダクト３のスポンジ４ａに感光体ユニット１を押し当てながら挿入していくが、スポンジ４ａの表面にマイラ４ｂを貼り付けてあるために、スポンジ４ａを引きちぎることなくセットでき、転写ベルト９上にちぎれたスポンジが落ちることもなく、画像不良を起こさないで済む。
【００１２】
なお、本発明ではスポンジの表面に設ける膜体がマイラに限られることはなく、スポンジと別体の膜体であれば適宜のものを採用できる。
【００１３】
図２は、本発明に係る画像形成装置の通風装置の他の実施形態を示す斜視図である。図中１０は緩衝マイラで、感光体ユニット１を取り付けるときに突入側となる画像形成装置本体の前側端縁に、この縁部分を覆うように設けてある。このため本実施形態では、感光体ユニット１をセットする時に、感光体ユニット１をスポンジ４ａの前側端縁に側方から押し当てるようにしても、緩衝マイラ１０があるため、感光体ユニット１によってスポンジ４ａが引きちぎられることがない。図示の例では、メインダクト３のスポンジ４ａの表面にマイラ４ｂを設けるとともに、緩衝マイラ１０をも設けているが、なお、先の実施形態と共通する部分には共通する符号を付すにとどめ、また上記した以外の作用についても同様であるので、重複する説明は省略する。
【００１４】
【発明の効果】
本発明に係る画像形成装置の通風装置は、以上説明してきたように、感光体ユニット内で発生したオゾンを機外へ排出するためのダクトの感光体ユニットに接する面の少なくとも一部に、表面に別部材の膜体を設けたスポンジを貼付して感光体ユニットとの隙間を埋めるようにしているので、感光体ユニットをスポンジに押し当てながらセットしていく際に、感光体ユニットがスポンジの表面に直接接触することがなく、したがってセット時にスポンジが引きちぎられず、転写ベルト上に落ちることがなく、画像不良を起こすことがないという効果がある。
【００１５】
請求項２に係る画像形成装置の通風装置は、以上説明してきたように、ダクトの感光体ユニットに接する面の少なくとも一部に設ける膜体を、少なくとも感光体ユニットの画像形成装置本体への装着方向の手前側の部位に設けるようにしたので、上記共通の効果に加え、感光体ユニットをセットする時に、感光体ユニットをスポンジの手前側の横方向から押し当てても、膜体が緩衝材となってスポンジが引きちぎられることがないという効果がある。
【図面の簡単な説明】
【図１】本発明に係る画像形成装置の通風装置の一実施形態を示す斜視図である。
【図２】本発明に係る画像形成装置の通風装置の他の実施形態を示す斜視図である。
【符号の説明】
１  感光体ユニット
１ａ  ドラム軸
２  帯電チャージャ
３  メインダクト
４ａ  スポンジ
４ｂ  マイラ
５  メインファン
６  排気ダクト
７  吸気ダクト
８  定着ユニット
９  転写ベルト
１０  緩衝マイラ
【図１】
0003677154.tif 000002
【図２】
0003677154.tif 000003